(57)【要約】【課題】情報配信先の利用者である情報閲覧者の特性・特徴に応じた内容の情報を提供する。【解決手段】各情報端末装置４０は、情報選択配信装置６０に配信先を通知することができる。情報選択配信装置６０は、情報端末装置４０に情報を送信する場合、通知された配信先に基づいて配信する情報を決定し、情報端末装置４０が決定にかかる情報を受け取れるように動作する。サイト１〜４は、情報端末装置４０が通信網を介して取得可能な情報を保持記憶するものである。本ビジネスモデルで扱う「サイト」は、一般的なホームページのようなものでも良いし、いわゆるポータルサイトのような、個々のホームページへ閲覧者を誘導するためのものでも良い。サイトが保持記憶された情報は、情報選択配信装置６０によって配信先に応じた選択に基づいて、情報端末装置４０に送信される。【選択図】    図１
2004280730.tif 000002
【特許請求の範囲】
【請求項１】
情報の配信先に応じて、情報を選択して配信する情報選択配信システムにおいて、
情報の配信先を示す配信先識別情報を記憶した情報端末装置と、
前記情報端末装置から配信先識別情報を受け取り、この配信先識別情報に基づいて、この情報端末装置に送信する情報を決定する情報選択配信装置と、
を有することを特徴とする、情報選択配信システム。
【請求項２】
請求項１に記載の情報選択配信システムにおいて、
このシステムは、情報選択配信装置から情報の配信記録を受け取り、これに基づいて情報端末装置の使用料、情報端末装置を仮想店舗として使用する対価である営業料・テナント料を算出し、通知する料金処理装置をさらに有することを特徴とする、情報選択配信システム。
【請求項３】
情報の配信先に応じて、情報を選択して配信する情報選択配信装置であって、
配信先識別情報とこれに対応する情報とを記憶する配信先・情報テーブル記憶部と、
情報端末装置から受け取った配信先識別情報と、前記配信先・情報テーブル記憶部の記憶内容を比較し、受け取った配信先識別情報に対応する情報を選択する情報選択決定部と
を有することを特徴とする情報選択配信装置。
【請求項４】
情報の配信先に応じた情報の配信を受けることが可能な情報端末装置であって、情報の配信先を示す配信先識別情報を記憶し、前記配信先識別情報に対応した情報を受け取り、これをユーザに表示することを特徴とする情報端末装置。
【請求項５】
情報の配信先を示す配信先識別情報を記憶させるステップと、
前記配信先識別情報を受け取るステップと、
前記配信先識別情報に対応する情報を決定するステップと
を有することを特徴とする情報の配信先に応じて選択的に情報を配信する方法。
【請求項６】
請求項５に記載の方法において、
決定した情報の配信記録を生成するステップと、
前記配信記録を用いて情報端末装置の使用料、情報端末装置を仮想店舗として使用する対価である営業料・テナント料を算出し、通知するステップと
をさらに有することを特徴とする、情報の配信先に応じて選択的に情報を配信する方法。
【請求項７】
請求項５に記載の方法において、
前記決定するステップにおいて、前記配信先識別情報に対応する情報は、複数の情報提供者それぞれに関する情報からなる情報群であり、少なくとも一の情報提供者に関する情報が選択され、配信される
ことを特徴とする、情報の配信先に応じて選択的に情報を配信する方法。
【発明の詳細な説明】
【０００１】
【発明の属する技術分野】
本発明は、情報の配信先に応じて情報を選択して配信する情報選択配信システム、情報端末装置、情報選択配信装置、および情報の配信先に応じて選択的に情報を配信する方法に関する。
【０００２】
【従来の技術】
通信インフラの発展・普及及びパーソナルコンピュータなどの普及により、自宅にパーソナルコンピュータなどを情報端末装置として備え、この情報端末装置を使用してネットワークを介してサイトを巡回し情報を収集したり、いわゆるオンラインゲームを楽しむことなどができるようになってきた。このようなネットワークを介した情報端末装置の使用法には、ネットワーク上に設けた仮想店舗で買い物を楽しむ、ということがある。このような仮想店舗を設けたサイトによれば、出店者は簡単に国内だけでなく海外にまで商品販売の機会を拡大することが可能となる。また、購入者側には、自宅にいながら様々な店舗を巡回でき、また買い物を楽しむことができるようになるという利点がある。
【０００３】
このような仮想店舗を複数集合させ、電子モールを構築し、よりユーザの利便を計るとともにより多くのユーザを電子モールに集めようとすることが考えられている（たとえば、特許文献１）。また、このような電子モールに出店する際に、電子モールの運営者が出展者からテナント料を集めるシステムが考案されている（たとえば、特許文献２）。
【０００４】
【特許文献１】
特開平１１−１２０２３０号公報
【特許文献２】
特開２００１−３３８２０２号公報
【０００５】
【発明が解決しようとする課題】
上記のような情報端末装置を使用している一般ユーザには、外出先、宿泊先などにおいても、時間があれば情報端末装置を使用して仮想店舗での買い物を楽しむなどできればよいと希望する人が少なからず存在する。たとえば、ホテル、ファーストフード店などにいる場合に、時間があれば情報端末装置を使用したい、という需要がある。しかし、これらホテル、ファーストフード店など（以下、「配信先」という）には、情報端末装置が設置されていることは少なく、上記需要が満たされていない。これらの需要を満たすことができれば、その配信先の集客力を向上させることが期待できる。一方、これらの配信先の運営者（たとえば、ホテル企業、ファーストフード店舗運営者など）が、集客力の向上を期待して情報端末装置を配信先に導入しようとする場合、情報端末装置機器の使用料（購入代金、レンタル料、リース料含む）や保守管理費用などの相当のコストがかかり、導入側である配信先の運営者にとって大きな資金的リスクとなり、導入促進が図れないと言う問題がある。
【０００６】
本発明は、配信先に適した情報を選択して情報を配信し、配信先の利用者であるユーザなどの特性・特徴に応じた内容の情報を提供することを目的とする。
本発明の別の目的は、ホテル等の配信先に情報端末装置を導入するのに必要なコスト負担を軽減し、情報端末装置の導入を促進できるシステムを提供することにある。
【０００７】
【課題を解決するための手段】
上記課題を解決するための手段として本発明は以下のような特徴を有する。
本発明の第１の態様は、配信先に応じて、情報を選択して配信する情報選択配信システムであって、このシステムは、情報端末装置が設置された配信先を示す配信先識別情報を記憶した情報端末装置と、前記情報端末装置から配信先識別情報を受け取り、この配信先識別情報に基づいて、この情報端末装置に送信する情報を決定する情報選択配信装置とを有する。情報選択配信装置は、配信先識別情報とその配信先に適するとされる情報を関連づけて記憶しており、情報端末装置から提供される配信先識別情報を用いて、その情報端末装置に送信する情報を決定する。なお、本明細書中「配信先」とは、配信された情報を受信する情報端末装置、あるいはその情報端末装置の設置された場所・施設、あるいはそのような場所・施設において情報端末装置を用いて情報を閲覧するユーザをいうものとする。「配信先識別情報」は上記のような配信先を特定するための情報をいうものであり、たとえば、情報端末装置を特定するＩＰアドレス、ドメイン名、場所・施設を特定するロケーション識別ＩＤ、ユーザを特定するユーザＩＤなどは「配信先識別情報」に含まれる。
【０００８】
上記第１の態様にかかる情報選択配信システムは、情報選択配信装置から情報の配信記録を受け取り、これに基づいて情報端末装置の使用料、情報端末装置を仮想店舗として使用する対価である営業料・テナント料を算出し、通知する料金処理装置をさらに有していてもよい。この料金処理装置を備えることによって、情報選択配信システムは、情報提供者は自らの扱う情報の配信回数などに応じた営業料・テナント料の支払いによって、ホテルなどの様々な場所においてユーザに情報提供すること可能とする。また、情報提供者は、仮想店舗が出店できない（情報配信がされない）部分についての営業料・テナント料を節約することが可能となる。
【０００９】
本発明の第２の態様は、情報の配信先に応じて、情報を選択して配信する情報選択配信装置であって、配信先識別情報とこれに対応する情報とを記憶する配信先・情報テーブル記憶部と、情報端末装置から受け取った配信先識別情報と、前記配信先・情報テーブル記憶部の記憶内容を比較し、受け取った配信先識別情報に対応する情報を選択する情報選択決定部とを有することを特徴としている。この特徴により、配信先に応じて、情報を選択して配信することが可能となる。
【００１０】
本発明の第３の態様は、設置された配信先に応じた情報の配信を受けることが可能な情報端末装置であって、情報端末装置が設置された配信先を示す配信先識別情報を記憶し、前記配信先識別情報に対応した情報を受け取り、これをユーザに表示することを特徴としている。
【００１１】
本発明の第４の態様は、情報の配信先を示す配信先識別情報を記憶させるステップと、前記配信先識別情報を受け取るステップと、前記配信先識別情報に対応する情報を決定するステップとを有することを特徴としている。この方法により、情報の配信先に応じて、当該配信先に適した情報を選択的に配信する方法が実現される。
【００１２】
【発明の実施の形態】
まず、本発明の実施の形態を説明する前に、本発明によって実現されるビジネスモデルの概要について説明する。
図１は、本発明によって実現されるビジネスモデルの一例を示す概念図である。本例では、異なる配信先であるホテル１０，カジノ２０，コンビニ３０に情報端末装置４０１、４０２、４０３、４０４、４０５が設けられている。これら情報端末装置４０は通信網５０を介して情報選択配信装置６０に接続されている。
この情報選択配信装置６０は、通信網７０を介して情報源となるサイト１〜サイト４に接続されている。
【００１３】
［配信先について］
本明細書中「配信先」とは、情報端末装置を設置する施設、場所などであってユーザが設置された情報端末装置を使用できるところ、あるいはこれらの施設、場所において情報の受け手となるユーザをいう。「配信先」には、たとえばホテル、カジノ、ファーストフード店、コンビニエンスストアなどの不動産施設などが含まれるとともに、自動車、電車、飛行機、船などの移動体、及びこれらの利用客・乗客も含む。
各配信先はその特徴・特性に応じて来場する主たるユーザ層が定まると推定される。本発明にかかるビジネスモデルは、この主たるユーザ層の要求・購買性行・特性等に合致した情報を情報端末装置に配信することにより、商品やサービスの購買成立を向上させ、また各ユーザの満足度を向上させ、その結果として配信先施設の再訪・再利用を促し、ユーザ、配信先施設の運営者、サイト運営者・出品者などそれぞれの利益を計る。
【００１４】
なお、同一の施設・場所・移動体内でもユーザ層が異なる場合は、異なる配信先として扱うようにしても良い。たとえば、同一のホテルのシングル（スタンダード）ルームとスイートルームのユーザ層は異なるので、このような場合は、シングルルームとスイートルームとは、異なる配信先として扱うようにしても良い。同様に同一の旅客機のエコノミークラスとファーストクラス、ビジネスクラスとは異なる配信先として扱うようにしても良い。
【００１５】
各情報端末装置４０は、情報選択配信装置６０に配信先を通知することができる。情報選択配信装置６０は、情報端末装置４０に情報を送信する場合、通知された配信先に基づいて配信する情報を決定し、情報端末装置４０が選択・決定にかかる情報を受け取れるように動作する。
サイト１〜４は、情報端末装置４０が通信網を介して取得可能な情報を保持記憶するものである。本ビジネスモデルで扱う「サイト」は、一般的なホームページのようなものでも良いし、いわゆるポータルサイトのような、個々のホームページへ閲覧者を誘導するためのものでも良い。サイトが保持記憶された情報は、情報選択配信装置６０による配信先に応じた選択に基づいて、情報端末装置４０に送信される。
【００１６】
［料金等の流れ］
図２は、本ビジネスモデルにおける、情報端末装置のリース料、情報機器を設置させること認める対価のテナント料など、本ビジネスモデルにおける主要な金銭の流れの例を示す図である。
（１）  サイト閲覧者（ユーザ）２０１は、ホテルなどの配信先を利用するとともに、その配信先に設置された情報端末装置を用いて情報を閲覧する者であって、たとえばホテル宿泊者、カジノ客、ファーストフード店の客などである。サイト閲覧者２０１は、配信先事業者２０２に宿泊料や利用料などの配信先利用代を支払い、また情報端末装置を利用して情報提供者が提供する商品やサービスを購入した場合、その代金を情報提供者に支払う。
【００１７】
（２）配信先事業者２０２は、情報端末装置４０が設置される配信先における事業の運営に従事する事業者であって、たとえばホテル事業者、カジノ事業者などである。
（３）情報提供者２０３は、本システムにより選択される情報をサイト閲覧者２０１に提供することを行うものであって、たとえばショッピングサイトの運営者、ポータルサイトの運営者などである。
（４）情報選択配信システム運営事業者２０４は、情報端末装置４０を配信先事業者２０２に提供する者である。
【００１８】
配信先事業者２０２は、情報選択配信システム運営事業者２０４に情報端末装置の使用料（レンタル料、リース料）を支払う。配信先事業者２０２は、その配信先において情報提供者２０３がサイト閲覧者２０１に物品の購入を促したりサービスの利用を促したりすると言う営業活動を許諾する、すなわちその配信先内において仮想店舗の出店を許諾していると見ることができる。配信先事業者２０２は、この仮想店舗の出店許可の対価として、営業権料・テナント料の支払いを情報提供者２０３から受ける。よって、配信先事業者２０２は、情報端末装置４０の導入料・使用料を、情報提供者２０３から受け取る営業権料・テナント料でまかなうことが可能となり、自己の金銭的負担なく情報端末装置４０を導入することが可能である。
また、情報提供者２０３はサイト閲覧者２０１からの売り上げの一部を売り上げロイヤリティーとして配信先事業者２０２に支払うようにしても良い。
【００１９】
本ビジネスモデルは、図２に示すような金銭の流れを用いるビジネス形態以外でも成立する。図３に本ビジネスモデルにおける主要な金銭の流れの別の例を示す。
この例では、配信先事業者２０２に対する情報端末装置４０の導入勧誘、および情報提供者２０３に対する仮想店舗出店の勧誘を営業事業者３０１が行う。また、情報選択配信システム運営事業者２０４が情報端末装置４０の供給、情報選択配信装置６０の管理運営、仮想店舗の電子データ作成、仮想店舗を格納するサイトの構築・運営を担当する。なお、サイト閲覧者２０１，配信先事業者２０２，情報提供者２０３の意味、役割は図２に示す例の場合と同様である。
サイト閲覧者２０１は、配信先事業者２０２に宿泊料や利用料などの利用代を支払い、また情報端末装置４０を利用して情報提供者が提供する商品やサービスを購入した場合、その代金を情報提供者に支払う。
【００２０】
営業事業者３０１は、情報提供者２０３に多様な配信先において仮想店舗の出店ができる本システムの加入を勧め、加入した情報提供者２０３からは営業権料・テナント料を受け取る。一方、より多くの情報端末装置４０設置先を確保・拡大するよう配信先事業者２０１に情報端末装置４０の設置とそれによる仮想店舗の出店許可を勧める。
【００２１】
情報端末装置設置を受け入れた配信先事業者は、情報端末装置使用料を営業事業者３０１に支払い、仮想店舗の出店許可の対価として営業事業者３０１からテナント料を受け取れる。
営業事業者３０１は、配信先事業者２０２から受け取った情報端末装置４０の使用料および情報提供者２０３から受け取った営業権料・テナント料の一部を情報選択配信システム運営事業者２０４に、システム運営・管理費として支払う。
このような金銭の流れとすることにより、配信先事業者２０２は、情報端末装置４０の使用料を、情報提供者２０３から受け取る営業権料・テナント料でまかなうことが可能となり、自己の金銭的負担なく情報端末装置を導入することが可能である。また営業事業者３０１が新たな配信先及び情報提供者２０３を獲得することができるため、配信先事業者２０２はより多くの営業権料・テナント料を得ることが期待でき、また情報提供者はより多くの配信先において仮想店舗の出店が可能となり売り上げの向上が期待できる、というメリットがある。
なお、情報提供者２０３はサイト閲覧者２０１からの売り上げの一部を売り上げロイヤリティーとして営業事業者３０１に支払うようにしても良く、さらに営業事業者３０１は配信先事業者２０２，情報選択配信システム運営事業者２０４に売り上げロイヤリティーの一部を支払うようにしても良い。
【００２２】
［第１の実施の形態］
以下、図面を参照しながら上記ビジネスモデルを実現するための仕組みである本発明の実施の形態について説明する。
［システム構成例］
まず、本実施の形態の実現する情報選択配信システムの構成例について説明する。
図４は、本実施の形態にかかる情報選択配信システムの構成を示すブロック図である。このシステムでは、ある配信先に情報端末装置４０１が配置されており、情報端末装置４０１は通信網４０２を介して情報選択配信装置４０３と接続可能となっている。情報選択配信装置４０３は、通信網４０４を介してＷｅｂサイト４０５と接続可能となっている。
以下、上記システムの構成要素について説明する。
【００２３】
［通信網］
通信網４０２，４０４は、有線・無線、専用回線・交換回線を問わず、これに接続されている装置がそれぞれ目的とする装置に対しセッションを確立したときにその間での情報の送受を可能とするように作用する。通信網４０２，４０４は、それぞれインターネットのように、ゲートウエイを介して複数のネットワークが組み合わされて実現しても構わない。また、その接続についてもいわゆるバックボーンといわれる基幹線に直接接続せずとも、ＰＰＰ接続などによって一時的に接続してあっても、セッションを確立したときにその間で情報の送受ができるようになっていれば構わない。なお、上記「通信網」は専用回線を固定的に張りめぐらせたような、交換機を用いない通信網も含むものとする。
【００２４】
［情報端末装置］
次に、図５を参照しながら情報端末装置４０１について説明する。図５は、情報端末装置４０１の構成例を示す機能ブロック図である。
情報端末装置４０１は、その情報端末装置が設置された配信先を示す情報（以下、「配信先識別情報」という）とともに情報閲覧要求を送信し、情報選択配信装置４０３によって選択された、配信先識別情報に対応した情報（以下、「選択情報」という）を取得し、これをユーザに提供する機能を有する。
情報端末装置４０１は、通信網４０２を介して情報選択配信装置４０３と通信可能な情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置である。情報端末装置４０１は、たとえばパーソナルコンピュータ、家庭用ゲーム機、セットトップボックスなどの情報処理装置であって、具体的な例としてはＷｅｂ接続機能を有する情報処理装置である。
【００２５】
情報端末装置４０１は、配信先識別情報記憶部５０１と、情報要求部５０２と、情報取得部５０３と、通信処理部５０４と、入力部５０５と、表示部５０６とを有している。入力部５０５は、ユーザからの命令入力を受け付け、情報要求部５０２に提供する機能を有し、たとえばキーボード、ボタン、ポインティングデバイスなどである。表示部５０６は、情報をユーザに了知可能な形態で提供する機能を有し、たとえば液晶ディスプレイ、プラズマディスプレイ等の表示装置ある。
【００２６】
配信先識別情報記憶部５０１は、その情報端末装置４０１が設置される配信先を示す配信先識別情報を保持記憶する機能を有する。配信先識別情報の入力は、たとえばその情報端末装置４０１が設置されるときに、設置作業者などによって行われても良いし、出荷時に情報選択配信システム運営事業者２０４によって行われたり、またその他の方法で設定されて良い。
【００２７】
情報要求部５０２は、入力部５０５から情報取得要求の入力を受け付けると、情報送信要求とともに配信先識別情報記憶部５０１に記憶された配信先識別情報を通信処理部５０４に渡す。通信処理部５０４は通信網４０２を介してこの送信要求および配信先識別情報を情報選択配信装置４０３に送信するように動作する。なお通信処理部５０４は、必要に応じて通信網４０２，４０４との接続を確立し、これら通信網を介して接続の確立、及びデータの送受信を実行する機能を有し、たとえばＴＣＰ／ＩＰを含むプロトコル・スタック及びこのプロトコルを実行するためのハードウエアにより構成される。
【００２８】
この送信要求は通信網４０２によって情報選択配信装置４０３に送られ、情報選択配信装置４０３はこの送信要求に応じて、前記配信先識別情報に対応した情報（選択情報）を決定し、この選択情報を情報端末装置４０１が受信できるようにする。
通信処理部５０４は送信された選択情報を受け取り、これを情報取得部５０３に渡すと、情報取得部５０３は選択情報の表示処理を行い表示部５０６に渡す。表示部５０６はこれを表示し、ユーザは配信先に対応した情報である選択情報を閲覧することができる状態となる。
【００２９】
［情報選択配信装置］
次に、情報選択配信装置４０３について説明する。
情報選択配信装置４０３は、情報端末装置４０１からの情報送信要求及び配信先識別情報を受け取り、この配信先識別情報に対応した情報を選択し、選択した情報（選択情報）を情報端末装置４０１に提供するように動作する。
情報選択配信装置４０３は、たとえばコンピュータ、ワークステーションなどの情報処理装置であって、演算処理装置（ＣＰＵ）、主メモリ（ＲＡＭ）、読出し専用メモリ（ＲＯＭ）、入出力装置（Ｉ／Ｏ）、ハードディスク装置等の外部記憶装置を具備している装置で構成されている。前記ＲＯＭ、もしくは外部記憶装置などに情報処理装置を情報選択配信装置４０３として機能させるためのプログラム、もしくは情報選択配信方法をコンピュータに実行させるためのプログラムが記憶されており、該プログラムを主メモリ上に載せ、ＣＰＵがこれを実行することにより情報選択配信装置４０３が実現される。また、上記プログラムは必ずしも当該装置内の記憶装置に記憶されていなくともよく、磁気ディスク、光ディスク、光磁気ディスク、ＣＤ（Ｃｏｍｐａｃｔ  Ｄｉｓｃ）、ＤＶＤ（Ｄｉｇｉｔａｌ  Ｖｉｄｅｏ  Ｄｉｓｃ）などのコンピュータ読み取り可能なプロクラム記録媒体や、外部の装置（例えば、ＡＳＰ（アプリケーション・サービス・プロバイダのサーバなど）から提供され、これを主メモリに乗せる構成であっても良い。
【００３０】
図６は、情報選択配信装置４０３の構成例を示すブロック図である。情報選択配信装置４０３は通信網４０２，４０４に接続された通信処理部６０１と、この通信処理部６０１に接続された情報選択決定部６０２と、情報選択決定部６０２に読み取り可能に接続された配信先・情報テーブル記憶部６０３とを有している。
【００３１】
上記各部はＣＰＵ、ＲＡＭ、ＲＯＭ、Ｉ／Ｏ、外部記憶装置のいずれか若しくはこれらの少なくとも２以上の組み合わせとプログラムによって構成され、それぞれが物理的に独立したハードウエアによって構成される必要はない。また、上記各部は必ずしも物理的に単一の装置内に集められている必要はなく、例えば相互にネットワークで接続された複数のコンピュータに上記各部を分散して配置して構成してもかまわない。なお、上記各部が「接続されている」とは、データの受け渡しが可能であることを意味し、必ずしも物理的な接続がされていることを必要とするものではない。
【００３２】
通信処理部６０１は、通信網４０２、４０４に接続されており、通信網４０２を介して情報端末装置４０１と、通信網４０４を介して各サイト４０５との接続の確立、及び情報の交換を実行する機能を有し、たとえば、ＴＣＰ／ＩＰを含むプロトコル・スタック及びこのプロトコルを実行するためのハードウエアにより構成される。
情報選択決定部６０２は、情報端末装置４０１から配信先識別情報を受け取り、これをキーとして配信先・情報テーブル記憶部６０３を参照して、その情報端末装置４０１に提供する情報を決定する機能を有する。
【００３３】
配信先・情報テーブル記憶部６０３は、配信先識別情報とこれに対応付けられた情報の格納先情報（たとえば、ＵＲＩ（ｕｎｉｖｅｒｓａｌ  ｒｅｓｏｕｒｃｅ  ｉｄｅｎｔｉｆｉｅｒ）、ＵＲＬ（ｕｎｉｖｅｒｓａｌ  ｒｅｓｏｕｒｃｅ  ｌｏｃａｔｏｒ））とを格納したテーブル（配信先・情報テーブル）を記憶する。図７は配信先・情報テーブル記憶部６０３に記憶される配信先・情報テーブル７００の例を示す図である。図示の例では、一の配信先識別情報について一のレコードＲ７０１，Ｒ７０２、…が生成され、記憶されるようになっている。各レコードは、配信先識別ＩＤフィールド７０１と、対応情報源ＵＲＬフィールド７０２とを有している。受け取った配信先識別情報と、配信先識別ＩＤフィールドに書き込まれたデータを対比して、一致するレコードの対応情報源ＵＲＬフィールドに書き込まれたデータを配信先識別情報とこれに対応付けられた情報の格納先情報として用いるようになっている。
【００３４】
情報選択決定部６０２は、上記のような配信先・情報対応テーブル部６０３を参照して、これに対応付けられた情報の格納先情報を取得する。この格納先情報を用いて情報端末に選択情報を取得させる方法はいろいろ考えられる。たとえば、情報選択配信装置４０３が、格納先情報に対応するＷｅｂサイトから選択情報の送信を受け、これを情報端末装置４０１に転送するように構成しても良いし、あるいは、情報選択配信装置４０３が情報端末装置４０１に格納先情報を送信し、情報端末装置に格納先情報を用いてＷｅｂサイトから選択情報を取得させるように構成しても良し、その他の方法であっても良い。本実施の形態では、情報選択配信装置４０３が、格納先情報に対応するＷｅｂサイトから選択情報の送信を受け、これを情報端末装置４０１に転送する方式を用いるものとして以下説明を続ける。
【００３５】
［システムの動作例］
次に上記システムの動作例について図８から図１１を参照して説明する。
図８は、異なる配信先に設置された情報端末装置Ａ（４０１）、情報端末装置Ｂ（４０１）が本システムにより同一のジャンルに関する情報を要求した場合の動作例を示すシーケンス図である。この例では、配信先はあるホテルとし、情報端末装置Ａ，Ｂはホテルの客室に設置されたセットトップボックスで客室内のＴＶ装置をその表示部として使用し、情報端末装置Ａはスウィートルームに設置されており、情報端末装置Ｂはシングル（スタンダード）ルームに設置されているものとする。また、通信網４０２は同ホテル内のＬＡＮ（ｌｏｃａｌ  ａｒｅａ  ｎｅｔｗｏｒｋ）、通信網４０４はＷＷＷ網、情報選択配信装置４０３はＬＡＮとＷＷＷを接続するゲートウエイとしても機能するものとする。以下このシーケンス図に沿って説明する。
【００３６】
まず、あるユーザが情報端末装置Ａからあるジャンルに関する情報を要求するものとする。図９は、情報端末装置Ａを起動した際に表示される初期画面の例を示す。同図では、情報端末装置Ａの表示部５０６であるＴＶ装置の画面９００内にウインドウ９０１が表示されており、ウインドウ９０１内には情報のジャンル・カテゴリをユーザに選択させるボタンオブジェクト９０３〜９０６が生成される。ユーザは、情報端末装置Ａの入力手段を用いてボタンオブジェクト９０３〜９０６をクリックしたり、カーソルで選択したりすることにより、情報端末装置１０４に情報要求を送信させることができる。
【００３７】
ユーザが情報端末装置Ａからボタンオブジェクト９０５を活性化させ、「食事・グルメ」に関する情報を要求したとする。すると情報端末装置Ａは、配信先識別情報記憶部に記憶された配信先識別情報とともに「食事・グルメ」に関する情報の送信要求を通信網４０２を介して情報選択配信装置４０３に送信する（ステップＳ８０１）。
【００３８】
配信先識別情報とともに「食事・グルメ」に関する情報の送信要求を受け取った情報選択配信装置４０３は、その配信先・情報テーブル記憶部６０３から「食事・グルメ」に関する配信先・情報テーブル７００を参照し、送信された配信先識別情報に対応するＵＲＬを読み取り、情報端末装置Ａに送信する選択情報を決定する（ステップＳ８０２）。ここで対応するＵＲＬはサイトＸのものであるとする。情報選択配信装置４０３は、サイトＸを格納するＷｅｂサーバに対して通信網４０４を介して情報送信要求を行い（ステップＳ８０３）、同Ｗｅｂサーバは前記ＵＲＬに対応するサイトＸの情報を通信網４０４を介して情報選択配信装置４０３に送信する（ステップＳ８０４）。
【００３９】
サイトＸの情報を受け取った情報選択配信装置４０３は、サイトＸの情報を選択情報として情報端末装置Ａに通信網４０２を介して送信する（ステップＳ８０５）。この選択情報を受け取った情報端末装置Ａは、その表示部５０６（ＴＶ装置）に選択情報を表示する（ステップＳ８０６）。図１０はステップＳ８０６において表示される画面例を示す図である。同図において、情報端末装置Ａの表示部５０６であるＴＶ装置の画面９００内にウインドウ９０１が表示されており、ウインドウ９０１内には選択情報を表示する領域であるフレーム１００１が生成されている。フレーム１００１内には、情報端末装置Ａの配置された配信先のユーザ層に合致すると推定される情報である、選択情報（サイトＸの格納する情報）が表示される。この例では、スウィートルームの宿泊客である、情報端末装置Ａのユーザに合致するような、料金設定が高めで落ち着いた雰囲気の飲食施設の情報が選択情報として提供、表示されている様子を示している。
【００４０】
次に、別のユーザが情報端末装置Ｂから同じジャンル「食事・グルメ」に関する情報を要求するものとする。まずこのユーザは、情報端末装置Ｂの表示部５０６（ＴＶ装置）に表示される図９に示す初期画面において、ボタンオブジェクト９０５を活性化させ、「食事・グルメ」に関する情報の要求を行う。すると情報端末装置Ｂは、その配信先識別情報記憶部５０１に記憶された配信先識別情報とともに「食事・グルメ」に関する情報の送信要求を通信網４０２を介して情報選択配信装置４０３に送信する（ステップＳ８０７）。
【００４１】
配信先識別情報とともに「食事・グルメ」に関する情報の送信要求を受け取った情報選択配信装置４０３は、その配信先・情報テーブル記憶部６０３に記憶された「食事・グルメ」に関する配信先・情報テーブル７００を参照し、送信された配信先識別情報に対応するＵＲＬを読み取り、選択情報を決定する（ステップＳ８０８）。配信先識別情報は、情報端末装置Ａのものと異なるものが設定されている。「食事・グルメ」に関する配信先・情報テーブル７００では、この配信先識別情報に対応するＵＲＬは、サイトＸと別のサイトＹが記憶されている。
【００４２】
情報選択配信装置４０３は、サイトＹを格納するＷｅｂサーバに対して通信網４０４を介して情報送信要求を行い（ステップＳ８０９）、同Ｗｅｂサーバは前記ＵＲＬに対応するサイトＹの情報を通信網４０４を介して情報選択配信装置４０３に送信する（ステップＳ８１０）。
【００４３】
サイトＹの情報を受け取った情報選択配信装置４０３は、サイトＹの情報を選択情報として情報端末装置Ａに通信網４０２を介して送信する（ステップＳ８１１）。この選択情報を受け取った情報端末装置Ｂは、その表示部５０６（ＴＶ装置）に選択情報を表示する（ステップＳ８１２）。図１０はステップＳ８１２において表示される画面例を示す図である。同図において、情報端末装置Ｂの表示部５０６であるＴＶ装置の画面９００内にウインドウ９０１が表示されており、ウインドウ９０１内には選択情報を表示する領域であるフレーム１１０１が生成されている。フレーム１１０１内には、情報端末装置Ｂの配置された配信先のユーザ層に合致すると推定される情報である、選択情報（サイトＹの格納する情報）が表示される。この例では、シングルルームの宿泊客である、情報端末装置Ｂのユーザに合致するような、料金設定が比較的安価で、気軽に入店できる雰囲気の飲食施設の情報が選択情報として提供、表示されている様子を示している。
【００４４】
［本システムのメリット］
このように、本システムによれば、情報端末装置の配置された配信先の特徴・特性に応じて、情報を選択して情報端末装置に配信することができる。さらにこのシステムを利用することにより、ユーザによる商品やサービスの購買成立を向上させ、また各ユーザの満足度を向上させ、その結果として配信先施設の再訪・再利用を促し、ユーザ、配信先施設の運営者、サイト運営者・出品者などそれぞれの利益を計ることが期待できる。
【００４５】
本システムによれば、配信先事業者２０２は、情報端末装置４０１の導入料を、出店する仮想店舗から受け取ることができるので、導入に関するコスト面の問題を解決することが可能である。また、仮想店舗を出店しようとする情報提供者は、ホテル、ファーストフード店等の顧客そのものをターゲットとすることが可能なため、それぞれの顧客特性に応じた営業戦略を立てることが容易となる。
【００４６】
［本システムの変形例］
つぎに本システムの変形例について説明する。図１２は、本システムの変形例の構成を示すブロック図である。
図１２は、同一の通信網１２０１に情報端末装置４０１、情報選択配信装置４０３、Ｗｅｂサイトが接続される構成となっており、２つの通信網４０２，４０４を用いた図４に示す構成とこの点で異なっている。
本変形例では、情報選択配信装置４０３は配信先識別情報に対応するＵＲＬを情報端末装置４０１にリダイレクト・メッセージとして送信し、情報端末装置４０１が通信網１２０１を介してそのＵＲＬに対応するＷｅｂサイトに直接に選択情報の送信を要求し、これを受け取るように動作する。このような構成としても、本システムは同様の効果を得ることが可能である。
【００４７】
また、上記第１の実施の態様においては、図４に示すように情報端末装置４０１に配信される情報はＷＷＷ（Ｗｏｒｌｄ  Ｗｉｄｅ  Ｗｅｂ）上に構築されたＷｅｂサイト４０５に格納されており、情報選択配信装置４０３がこれらＷｅｂサイト４０５に格納された情報を通信網４０４を介して取得するという構成を説明した。しかし、情報端末装置４０１に配信する情報は、このようなＷｅｂサイト４０５に格納されているものに限られるものではない。情報端末装置４０１に配信する情報は、情報選択配信装置４０３のローカルな記憶装置（たとえば情報選択配信装置４０３内のハードディスクなど）に格納されていてもよい。
【００４８】
［第２の実施の形態］
つぎに、本発明の第２の実施の形態について説明する。
図１３は、本発明の第２の実施の形態にかかる情報選択配信システムの構成例を示すブロック図である。この情報選択配信システムは、図４に示した情報選択配信システムの構成例とほぼ同様であるが、情報選択配信装置４０３に料金処理装置１３０１が接続されている点が異なっている。なお、同一の構成要素については同様の構成・機能を有するため、同一の参照番号を付してそれぞれの説明は省略する。
【００４９】
料金処理装置１３０１は、情報選択配信装置４０３から選択情報の配信記録を受け取り、これに基づいて配信先事業者２０２が受け取る営業料・テナント料、情報提供者が支払う営業料・テナント料を計算し、これら配信先事業者２０２，情報提供者の決済を扱う金融機関決済システム、クレジット会社決済システムに通知し必要な料金引き落とし、料金振り込みを依頼するように動作する。
【００５０】
本実施の形態によれば、情報提供者は自らの扱う情報の配信回数などに応じた営業料・テナント料を支払えば良く、仮想店舗が出店できない（情報配信がされない）部分についての営業料・テナント料を節約することが可能となり、その結果情報提供者の本システムの加入を促しやすくなり、より多くの情報提供者の獲得が期待できることとなる。
【００５１】
［第３の実施の形態］
同一の配信先に対して配信される選択情報の供給元は必ずしも一つに限られる必要はない。  本実施の形態は、一の配信先に対して複数の情報提供者からの情報を配信することを特徴とする。
【００５２】
同一の情報端末装置４０１に対して配信される選択情報は２以上の情報からなる情報群であってもよい。たとえば、ユーザが「食事・グルメ」情報を要求した場合、その配信先に配信される情報は、ある企業Ｘの広告情報、別の企業Ｙの広告情報、さらにある企業Ｘの広告情報からなる情報群が設定されており、情報選択配信装置４０３はこの情報群の中からいずれかの広告情報を選択し情報端末装置４０１に配信するようにすることができる。情報選択配信装置４０３はこれら広告情報が均等な頻度で配信されるようにある企業Ｘの広告情報、別の企業Ｙの広告情報、さらにある企業Ｘの広告情報の配信回数を制御するようにしてもよい。
【００５３】
このような配信方式にした場合、情報提供者である企業Ｘ，Ｙ、Ｚはその配信先での出店料に相当する営業料・テナント料を互いに案分して支払うようにしてもよい。このようにすれば、同一の配信先に対する情報提供者数が多くなれば、一情報提供者当たりの負担費用を減らすことができる。逆に同一の配信先に対する情報提供者数が少なくなれば、位情報提供者当たりの費用負担は高まるが情報閲覧者に対する訴求力は高くなる。
【００５４】
【発明の効果】
本発明によれば、配信先に適した情報を選択して情報を配信することができるため、配信先の利用者であるユーザなどの特性・特徴に応じた内容の情報を提供することが可能となる。
【図面の簡単な説明】
【図１】本発明によって実現されるビジネスモデルの一例を示す概念図である。
【図２】本ビジネスモデルにおける主要な金銭の流れの例を示す図である。
【図３】本ビジネスモデルにおける主要な金銭の流れの別の例を示す図である。
【図４】発明の一実施の形態にかかる情報選択配信システムの構成を示すブロック図である。
【図５】情報端末装置の構成例を示す機能ブロック図である。
【図６】情報選択配信装置の構成例を示すブロック図である。
【図７】配信先・情報テーブル記憶部に記憶される配信先・情報テーブルの例を示す図である。
【図８】情報選択配信システムの動作例を示すシーケンス図である。
【図９】情報端末装置を起動した際に表示される初期画面の例を示す。
【図１０】情報端末装置が選択情報を受信した場合に表示される画面の例を示す図である。
【図１１】情報端末装置が選択情報を受信した場合に表示される画面の例を示す図である。
【図１２】情報選択配信システムの変形例の構成を示すブロック図である。
【図１３】本発明の第２の実施の形態にかかる情報選択配信システムの構成例を示すブロック図である。
【符号の説明】
４０１  …  情報端末装置
４０２、４０４  …  通信網
４０３  …  情報選択配信装置
４０５  …  Ｗｅｂサイト（Ｗｅｂサーバ）
５０１  …  配信先識別情報記憶部
６０１  …  通信処理部
６０２  …  情報選択決定部
６０３  …  配信先・情報テーブル記憶部
【図１】
2004280730.tif 000003
【図２】
2004280730.tif 000004
【図３】
2004280730.tif 000005
【図４】
2004280730.tif 000006
【図５】
2004280730.tif 000007
【図６】
2004280730.tif 000008
【図７】
2004280730.tif 000009
【図８】
2004280730.tif 000010
【図９】
2004280730.tif 000011
【図１０】
2004280730.tif 000012
【図１１】
2004280730.tif 000013
【図１２】
2004280730.tif 000014
【図１３】
2004280730.tif 000015